(57)【要約】  【課題】  側面から漏光した光で照明する場合に、外周方向に照明できるようにし、また一方向への照明でも光分散を充分とした照光体を提供すること。  【解決手段】  光源５からの光は漏光型光ファイバ４内に導かれながら、その周囲方向へと放たれる。すると、一対の支持体１間に支持されて漏光型光ファイバ４が巻かれた円柱状の反射管３方向に放たれた光はこの反射管３の反射面により反射され、また反射管３方向と反対方向に放たれた光と同様に、ＦＥＰ製の保護管７を介して当該照光体の外方へ均一に光が拡散される。  【選択図】  図１
2005322585.tif 000002
【特許請求の範囲】
【請求項１】
一対の支持体と、この一対の支持体間に支持され反射面が形成された反射管と、この反射管に巻かれた漏光型光ファイバと、この光ファイバの入射端部に接続される光源とから構成されたことを特徴とする照光体。
【請求項２】
一対の支持体と、この一対の支持体間に支持され反射面が形成された反射管と、この反射管の外周に固定される複数の支持部材と、この複数の支持部材に支持されて前記反射管と所定間隔を存して配設される複数束の漏光型光ファイバと、この光ファイバの入射端部に接続される光源とから構成されたことを特徴とする照光体。
【請求項３】
一対の支持体と、この一対の支持体間に支持された連結体と、この連結体に固定される複数の支持部材と、この複数の支持部材に支持される複数束の漏光型光ファイバと、この光ファイバの入射端部に接続される光源とから構成されたことを特徴とする照光体。
【請求項４】
少なくとも一面に反射面が形成された反射板と、この反射板の反射面上に配設される漏光型光ファイバと、前記光ファイバの入射端部に接続される光源とから構成されたことを特徴とする照光体。
【発明の詳細な説明】
【技術分野】
【０００１】
本発明は、光ファイバの側面の全部又は一部分から漏光する照光体に関する。
【背景技術】
【０００２】
この種の照光体は、特開平６−２６７３１３号公報等に開示されている。即ち、レンズを備えた入光装置から太陽光を光ファイバに入射させて、側面から漏光させて例えば室内を均一に照明する技術が提案されている。
【特許文献１】特開平６−２６７３１３号公報
【発明の開示】
【発明が解決しようとする課題】
【０００３】
しかしながら、側面から漏光した光で室内を均一に照明する場合に、特に一方向への照明に限られた構造であった。また、一方向への照明に限った場合でも、光分散が不十分であった。
【０００４】
そこで本発明は、側面から漏光した光で照明する場合に、外周方向に照明できるようにし、また一方向への照明でも光分散を充分とした照光体を提供することを目的とする。
【課題を解決するための手段】
【０００５】
このため照光体に係る第１の発明は、一対の支持体と、この一対の支持体間に支持され反射面が形成された反射管と、この反射管に巻かれた漏光型光ファイバと、この光ファイバの入射端部に接続される光源とから構成されたことを特徴とする。
【０００６】
照光体に係る第２の発明は、一対の支持体と、この一対の支持体間に支持され反射面が形成された反射管と、この反射管の外周に固定される複数の支持部材と、この複数の支持部材に支持されて前記反射管と所定間隔を存して配設される複数束の漏光型光ファイバと、この光ファイバの入射端部に接続される光源とから構成されたことを特徴とする。
【０００７】
照光体に係る第３の発明は、一対の支持体と、この一対の支持体間に支持された連結体と、この連結体に固定される複数の支持部材と、この複数の支持部材に支持される複数束の漏光型光ファイバと、この光ファイバの入射端部に接続される光源とから構成されたことを特徴とする。
【０００８】
照光体に係る第４の発明は、少なくとも一面に反射面が形成された反射板と、この反射板の反射面上に配設される漏光型光ファイバと、前記光ファイバの入射端部に接続される光源とから構成されたことを特徴とする。
【発明の効果】
【０００９】
本発明は、側面から漏光した光で照明する場合に、外周方向に照明できるようにし、また一方向への照明でも光分散を充分とした照光体を提供することができる。
【発明を実施するための最良の形態】
【００１０】
以下、本発明の照光体の第１の実施の形態を図１に基づき説明する。１は一対の支持体で、例えばシリコンゴムで作製される。この一対の支持体１は、その対向する面の中央部には円柱状の取付凹部２が形成されている。
【００１１】
３は前記一対の支持体１間、即ち前記取付凹部２に支持される円柱状の反射管で、金属メッキできる合成樹脂材料で作製された本体表面上に金属（アルミニウム）メッキが施され反射面が形成されている。この反射管３には、漏光型光ファイバ４が螺旋状に巻かれる。
【００１２】
５は前記光ファイバ４の入射端部に中継コネクタ６を介して接続される光源で、例えば紫外線ＬＥＤ（Ｌｉｇｈｔ  Ｅｍｉｔｔｉｎｇ  Ｄｉｏｄｅ）で構成される。７はＦＥＰ（４フッ化エチレンー６フッ化プロピレン共重合体）製の保護管で、前記漏光型光ファイバ４が巻かれて一対の支持体１間に支持された反射管３と所定間隔を存してこの反射管３を囲むように前記支持体１に支持される。この保護管７は何かが光ファイバ４や反射管３に衝突して破損しないように保護するためのもので、ＦＥＰは紫外線を透過できて且つ紫外線に対して自身が劣化しない性質を有する。
【００１３】
従って、光源５からの光は光ファイバ４内に導かれながら、その周囲方向へと放たれる。すると、反射管３方向に放たれた光はこの反射管３の反射面により反射され、また反射管３方向と反対方向に放たれた光と同様に、ＦＥＰ製の保護管７を介して当該照光体の外方へ均一に光が拡散される。この場合、ＦＥＰ製の保護管７は光を拡散させる役割も果たす。
【００１４】
次に、第２の実施の形態を図２に基づき説明する。１１は一対の支持体で、例えばシリコンゴムで作製される。この一対の支持体１１は、その対向する面の中央部には円柱状の取付凹部１２が形成されている。
【００１５】
１３は前記一対の支持体１１間、即ち前記取付凹部１２に支持される円柱状の反射管で、金属メッキできる合成樹脂材料で作製された本体上に金属（アルミニウム）メッキが施され反射面が形成されている。１８は所定間隔を存して前記反射管１３の外周に固定される複数の鍔状の支持部材で、この複数の支持部材１８を貫通して支持されて前記反射管１３と所定間隔を存して複数束の漏光型光ファイバ１４が配設される。
【００１６】
１５は前記光ファイバ１４の入射端部に中継コネクタ１６を介して接続される光源で、例えば紫外線ＬＥＤ（Ｌｉｇｈｔ  Ｅｍｉｔｔｉｎｇ  Ｄｉｏｄｅ）で構成される。１７は（４フッ化エチレンー６フッ化プロピレン共重合体）製の保護管で、前記光ファイバ１４を支持する複数の支持部材１８が固定され一対の支持体１１間に支持された反射管１３及び光ファイバ１４と所定間隔を存してこれらの反射管１３及び光ファイバ１４を囲むように前記支持体１１に支持される。この保護管１７は何かが光ファイバ１４や反射管１３に衝突して破損しないように保護するためのもので、ＦＥＰは紫外線を透過できて且つ紫外線に対して自身が劣化しない性質を有する。
【００１７】
従って、光源１５からの光は光ファイバ１４内に導かれながら、その周囲方向へと放たれる。すると、反射管１３方向に放たれた光はこの反射管１３の反射面により反射され、また反射管１３方向と反対方向に放たれた光と同様に、ＦＥＰ製の保護管１７を介して当該照光体の外方へ均一に光が拡散される。この場合、ＦＥＰ製の保護管１７は光を拡散させる役割も果たす。
【００１８】
次に、第３の実施の形態を図３に基づき説明する。２１は一対の支持体で、例えばシリコンゴムで作製される。この一対の支持体２１は、その対向する面の中央部には円柱状の取付凹部２２が形成されている。
【００１９】
２９は前記一対の支持体２１間、即ち前記取付凹部２２に挿入されて支持される連結体で、２８は所定間隔を存して前記連結体２９の外周に固定される複数の鍔状の支持部材で、この複数の支持部材２８を貫通して支持されて前記支持部材２８と所定間隔を存して複数束の漏光型光ファイバ２４が配設される。
【００２０】
２５は前記光ファイバ２４の入射端部に中継コネクタ２６を介して接続される光源で、例えば紫外線ＬＥＤ（Ｌｉｇｈｔ  Ｅｍｉｔｔｉｎｇ  Ｄｉｏｄｅ）で構成される。２７は（４フッ化エチレンー６フッ化プロピレン共重合体）製の保護管で、前記光ファイバ２４を支持する複数の支持部材２８が固定され一対の支持体１１間に支持された連結体２９及び光ファイバ２４と所定間隔を存してこれらの連結体２９及び光ファイバ２４を囲むように前記支持体２１に支持される。この保護管２７は何かが光ファイバ２４等に衝突して破損しないように保護するためのもので、ＦＥＰは紫外線を透過できて且つ紫外線に対して自身が劣化しない性質を有する。
【００２１】
従って、光源２５からの光は光ファイバ２４内に導かれながら、その周囲方向へと放たれる。そして、ＦＥＰ製の保護管２７を介して当該照光体の外方へ均一に光が拡散される。この場合、ＦＥＰ製の保護管２７は光を拡散させる役割も果たす。
【００２２】
次に、第４の実施の形態を図４及び図５に基づき説明する。３１は支持枠体３４に支持される反射板で、金属メッキできる合成樹脂材料で作製された平板の少なくとも一面に金属（アルミニウム）メッキが施されて反射面が形成される。３２は前記反射板３１の反射面上に配設される漏光型光ファイバで、３３はＦＥＰ（４フッ化エチレンー６フッ化プロピレン共重合体）製のフィルム状の保護シートで前記反射板３１上に配設された光ファイバ３２と離間して前記支持枠体３４に固定され。この保護シート３３は何かが光ファイバ３２等に衝突して破損しないように保護するためのもので、ＦＥＰは紫外線を透過できて且つ紫外線に対して自身が劣化しない性質を有する。
【００２３】
３５は前記光ファイバ３２の入射端部に中継コネクタ３６を介して接続される光源で、例えば紫外線ＬＥＤ（Ｌｉｇｈｔ  Ｅｍｉｔｔｉｎｇ  Ｄｉｏｄｅ）で構成される。
【００２４】
次に、図６に第５の実施の形態を示すが、第４の実施形態が反射板３１の反射面上に漏光型光ファイバ３２が所定回路模様で配設されるのに対して、この第５の実施形態は複数の漏光型光ファイバ３２が略平行に配設されている点で異なる構成であるが、その他の構成は第４の実施形態と同様である。従って、前記反射板３１上に配設された複数の光ファイバ３２を保護するためのＦＥＰ（４フッ化エチレンー６フッ化プロピレン共重合体）製のフィルム状の保護シート３３が前記反射板３１上に配設された光ファイバ３２と離間して支持枠体３４に固定される。
【００２５】
従って、第４及び第５の実施形態共に、光源３５からの光は光ファイバ３２内に導かれながら、その周囲方向へと放たれる。すると、反射板３１方向に放たれた光はこの反射板３１の反射面により反射され、また反射板３１方向と反対方向に放たれた光と同様に、ＦＥＰ製の保護シート３３を介して当該照光体の外方へ均一に光が拡散され、光分散が充分である。この場合、ＦＥＰ製の保護シート３３は光を拡散させる役割も果たす。
【００２６】
次に、以上のように構成された照光体を、空気調和機の室内機に設けて空気清浄化手段として用いる実施形態について、図７乃至図１１に基づいて説明する。先ず、図７において、室外に設置される図示しない室外機とで分離型の空気調和機を構成する室内機４１は、室外機と冷媒管（共に図示せず）を介して接続されて冷媒が室外機と室内機４１とを循環するように設けられる。
【００２７】
前記室内機４１は、背面側の後ケース４２と、前面と上面に室内空気の吸込口４３Ａが開設されて後ケース４２の前側に着脱可能に設けられた前ケース４３とからなる本体ケース４４を備え、その本体ケース４４の下部側には空気の吹出口４４Ａが設けられると共に、本体ケース４４内には室内の空気を加熱／冷却する熱交換器４５が設置されている。
【００２８】
前記熱交換器４５は、放熱フィンを貫通して蛇行して配管された伝熱管４６の内部を冷媒が通過する際に管外の空気と熱交換することにより、冷房／除湿運転時に冷却器として機能し、暖房運転時には加熱器として機能するものである。
【００２９】
また、本体ケース４４の内部には、熱交換器４５で取り囲まれるように送風ファン４７が設けられ、この送風ファン４７により室内の空気が前ケース４３の前面と上面の吸込口４３Ａから室内空気が吸い込まれ、熱交換器４５で伝熱管４６内を流れる冷媒と熱交換して加熱／冷却され、冷風／温風となって本体ケース４４の吹出口４４Ａから室内に吹き出して循環する。
【００３０】
また、前記熱交換器４５の下側には、熱交換器４５で結露して滴下するドレン水を溜めて排出するためのドレンパン４８が設けられ、前ケース４３と熱交換器４５との間にはエアフィルタ４９が設けられ、本体ケース４４下部の吹出口４４Ａには風向変更器（図示せず）が設けられて、吹き出す空気の向きが自在に設定できるように構成されている。
【００３１】
５０は空気清浄化手段として機能する前述したような照光体やハニカムフィルタなどを内蔵した除菌ボックスであり、以下図８乃至図１１に基づいて説明する。この除菌ボックス５０は前面上部に前ケース４３の前面の吸込口４３Ａに連通する吸込口５１が形成され、空気流通用のスリットが形成されるも光が漏れない構造の上区画板５２及び右側区画板５３、下板５４及び左側板５５とでフィルタ収納室５６が形成される。
【００３２】
そして、このフィルタ収納室５６及びその左隣りの部屋に跨るように取付枠体５９が配設され、この取付体５９は除菌ボックス５０の前面壁５０Ａに固定され、前述した照光体５７及びフィルタ５８が取付けられる。このフィルタ５８には紫外線（光の波長が３１５ｎｍ〜３８０ｎｍ）の照射により除菌作用を発揮する光触媒層が形成され、除菌されると共に光触媒層に吸着された臭気成分も分解される。
【００３３】
また、前記フィルタ収納室５６の右隣りの部屋の後壁には排気口６０が開設されている。従って、前記送風ファン４７により室内の空気が前ケース４３の前面と上面の吸込口４３Ａから室内空気が吸い込まれ、熱交換器４５で伝熱管４６内を流れる冷媒と熱交換して加熱／冷却され、冷風／温風となって本体ケース４４の吹出口４４Ａから室内に吹き出して循環することとなるが、詳述すればその際に循環する空気が前ケース４３の前面の吸込口４３Ａに連通する吸込口５１から除菌ボックス５０内に入り、上区画板５２を介してフィルタ収納室５６内に入ることとなり、前記照光体５７によりこの循環する空気及びフィルタ５８に紫外線を照射した後、右側区画板５３を介して前記フィルタ収納室５６の右隣りの部屋に入って排気口６０を介して熱交換器４５で熱交換して加熱／冷却され、冷風／温風となって本体ケース４４の吹出口４４Ａから室内に吹き出して循環することとなる。
【００３４】
このため、室内機４１が設置されている室内の汚れた空気を除菌することができ、フィルタ５８の光触媒層に紫外線が照射されて除菌作用を発揮し、光触媒層に吸着された臭気成分も分解される。
【００３５】
この場合、前述した如く、前記照光体５７は紫外線ＬＥＤの点光源に近い光源を面光源に変換しているために、フィルタ５８の光触媒層での光量の不均一が無くなり、光触媒の利用効率の向上を図ることができる。
【００３６】
なお、室内空気を室外（屋外）に排気して室内機４１が設置されている室内を換気するための換気用室内送風機を熱交換器４５の前方に設置し、またこの換気用室内送風機と換気管を介して連結される換気用室外送風機を室外に設置し、換気用室内送風機の吹出口と換気用室外送風機の吹出口とを換気管により連結することにより、換気用室内送風機を運転させて室内空気を除菌ボックス５０内を通過させて、室内機４１が設置されている室内の汚れた空気を室外に排出して室内を換気することもできる。一方、前記換気用室外送風機を運転させて室外空気を除菌ボックス５０内を通過させて、室外空気を除菌して室内に供給することもできる。
【００３７】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００３８】
【図１】照光体の第１の実施の形態を示す一部破断せる側面図である。
【図２】照光体の第２の実施の形態を示す一部破断せる側面図である。
【図３】照光体の第３の実施の形態を示す一部破断せる側面図である。
【図４】照光体の第４の実施の形態を示す平面図である。
【図５】照光体の第４の実施の形態を示す縦断側面図である。
【図６】照光体の第５の実施の形態を示す平面図である。
【図７】室内機の縦断側面図である。
【図８】除菌ボックスの斜視図である。
【図９】前面壁を外した状態での除菌ボックスの分解斜視図である。
【図１０】前面壁を外した状態での除菌ボックスの斜視図である。
【図１１】除菌ボックスの一部破断せる斜視図である。
【符号の説明】
【００３９】
１、１１、２１        支持体
３、１３              反射管
４、１４、２４、３２  漏光型光ファイバ
５、１５、２５、３５  光源
１８、２８            支持部材
３１                  反射板
３３                  保護シート
３４                  支持枠体
５７                  照光体
【図１】
2005322585.tif 000003
【図２】
2005322585.tif 000004
【図３】
2005322585.tif 000005
【図４】
2005322585.tif 000006
【図５】
2005322585.tif 000007
【図６】
2005322585.tif 000008
【図７】
2005322585.tif 000009
【図８】
2005322585.tif 000010
【図９】
2005322585.tif 000011
【図１０】
2005322585.tif 000012
【図１１】
2005322585.tif 000013